(57)【要約】【課題】バイブレーションタイプのルアーにおいて、よりスローなリトリーブでのアクションを可能にすると同時に、低比重あるいはフローティングタイプのボディにおけるアクションを安定化する。【解決手段】バイブレーションタイプのルアーにおいて、底部後方から頭部のほうへ入り込む入り江状の空虚部１を設ける。【選択図】図１
0003131146.tif 000002
【実用新案登録請求の範囲】
【請求項１】
バイブレーションタイプのルアーにおいて、底部後方から頭部よりに入り込み、およそ魚の内臓部に相当するする面積以上の領域を入り江状の空虚部としたルアー。
【請求項２】
側面から見た形がブーメラン型、すなわちＶ字型あるいはＵ字型あるいはくの字型に屈曲した形状で、従来のバイブレーションタイプのルアーと同様に適度な厚みを有するルアー。
【請求項３】
従来のバイブレーションタイプのルアーの頭部に、従来の胴体に代えて、上下すなわち背中側と腹側に相当する部分に２本の突出を設けたルアー。
【考案の詳細な説明】
【技術分野】
【０００１】  本考案は釣り具のルアーに関する。
【背景技術】
【０００２】  ルアーの分類において、バイブレーションと呼ばれる類型が確立している。おおよそ扁平で体高のある小魚に似た形状を特徴とする。その背中にラインを結び水中を引くことにより、バイブレーション運動を起こす。
【考案の開示】
【考案が解決しようとする課題】
【０００３】  バイブレーションタイプのルアーはスローリトリーブ、すなわちゆっくりとした水中での牽引においては、バイブレーション運動を起こしにくい。また、バイプレーションタイプのルアーをフローティングタイプ、すなわち水面に浮くタイプとした場合、その運動が不安定になりがちである。さらに一般に、バイブレーションタイプのルアーにおいては比重が軽くなると、そのアクションを安定させることが困難となる傾向があり、その克服が課題である。
【課題を解決するための手段】
【０００４】  バイブレーションタイプのルアーにおいて、図１に示すような入江状かつ広範囲におよぶ空虚部１を設けることで課題を解決する。図１は側面図であるが、正面から見た形状については従来のバイブレーションタイプのルアーと同様である。
【考案の効果】
【０００５】  従来のバイブレーションタイプのルアーに比べてより低速のリトリーブでの振動運動あるいは揺れ運動が可能となる。従来のバイブレーションタイプのルアーはリトリーブが一定の速度よりも遅くなった場合、左右にボディを振る運動が停止してしまうが、本考案においては、その限界速度が極めて低く、およそゼロに近い。すなわち少しでもルアーの前進運動があればルアーはそれに応じてボディを左右に振る。これは、ボディの比重を小さくする結果の効果でもあると思われ、本考案の形状はボディの比重を小さくしてもその姿勢と運動を安定させることに寄与している。従来のバイブレーションタイプのルアーとは浮力のバランスあるいは配分が基本的に異なることと、空虚部１のぶんだけ横向きの抵抗が小さいことも重要な要素となっているものと思われる。
フローティングタイプとした場合にも、その安定性が高い。ルアーにおいては、運動のしやすさと同時にその安定性が重要である。ルアーの設計においては常にその安定性が問題となるが、本考案の形状を用いた場合、より容易に高いレベルの安定性が得られる。これはフローティングタイプに限ったことではないが、特にフローティングタイプにおいてその効果は顕著となる。
重要な効果として、水を撹拌することにより発生し水中を伝播する振動あるいは音波および水音、スプラッシュ音の独特さがある。特に水面においては、２本の突起、背中側の突出３と腹側の突出４、が水を撹拌するので、その音は従来、実現し得なかったものとなる。パシャパシャという振動を伴う連続音は魚が水面でたてる水音、魚が泳ぐ水音、ヒレが水面を打つ音に似ている。これはフィッシュイーターを誘因する効果として極めて重要な要素であり、本考案の水面での独特の水音の効果は従来のバイブレーションのラトル音とは異なる効果である。また、バイブレーションタイプでありバイブレーション運動をすると同時に、完全なサーフィスルアーとして使えることも、その水音の独自性とあわせておよそ独自である。また、水中から水面へと泳ぎあがって、水面でスプラッシュ音をたてるような設定とすることもできるし、水面に浮いた状態から水面下に潜る設定も可能である。その調節は従来のルアーの設計と同様にウエイトの重量、形状の微妙な加減、ならびにラインを結ぶ位置などで行う。
スローリトリーブでのアクションが可能であることから、湖や管理釣り場でのマス類を対象とした釣りにおいても有効なルアーとなる。釣り人の常識として、バイブレーションタイプのルアーは基本的にブラックバスをその対象としているが、本考案においては、超スローリトリーブ、あるいはデッドスローと呼ばれるリトリーブにおいてもゆらゆらとしたアクションを起こすので、スプーンに代わるルアーとして用いることができる。特に低活性時のニジマスなどにはデッドスローが有効とされているが、本考案においては、従来のバイブレーションタイプの限界を超えたデッドスローが可能である。またその場合、スプーンとは異なり本考案はデザインの段階で浮力の調節が可能であるため、釣り場や魚の状況に対応した多様な釣り方により広く対応することが可能となる。
魚、特にスレた魚、すなわちルアー慣れしている魚は、新奇なルアーに反応しやすいと言われている。したがって本考案は、その形状から発生する効果と同時に、その形状自体が効果を持つ。静止した形状以上に、水中で運動する様子は、さらに他のどのルアーとも異なる印象が大きい。バイブレーションなのであるが、２本の突出が交互に閃く様子は独特である。
【考案を実施するための最良の形態】
【０００６】  本考案は入江状の空虚部１を有することがその特徴であり、その空虚部１が図１に示すように、かなりの程度の大きさに達したときに最良の効果を発揮する。
【実施例】
【０００７】  図１に示す。いわばブーメラン型である。ウエイトのバランスは従来のバイブレーションと同様に基本的に頭部２を重くする。後方への２本の突出が上記の独自の効果を生む。【０００８】  本考案の運動面での効果を発揮するためには、腹側の突出４は必ずしも必要ではない。従って、図２に示すような形状においてもデッドスローでのアクションの容易性とアクションの安定性は、ある程度実現できる。この場合、水音の効果と視覚的な特異性の効果は大きく失われる。【０００９】  ラインを取り付ける位置は背中側が最良と思われるが、腹側に取り付けてもバイブレーションの効果は得られる。その場合、独特のトリッキーな動きをするので、意外な釣果も期待しうる。【００１０】  本来バイブレーションとして考案したものであるが、突出の先端部付近にラインを結ぶとペンシルベイトのように使うこともできる。【００１１】  頭部２を重くする本来のウエイトバランスとは逆に、頭部のほうを軽くしても独特の効果が得られる。シンキングの場合には水面に向けて泳ぎあがるようなアクションが得られ、フローティングの場合は水面で口をパクつかせる小魚のような視覚的な効果が得られる。その効果自体は新規なものではないが、本考案の形態とあわさることで一層の効果、釣果が得られる可能性がある。その場合、腹側にラインを結ぶと、より小魚に似た形態となる。【００１２】  ジョイントタイプにしたり、ソフトルアーとの融合、あるいはソフト素材との融合も有効な釣果をもたらす可能性がある。【００１３】  バイブレーションにおいては従来よりフィンを取り付けることが行わているが、本考案においても有効である。また、フィンと同様に、リップは水の抵抗を付加し、調節するパーツであるが、本考案の形状においてリップを持った形態も、独特の運動が期待できる。
【図面の簡単な説明】
【００１４】
【図１】  本体の側面図
【図２】  別の実施例を示す本体の側面図
【符号の説明】
【００１５】１  空虚部
２  頭部
３  背中側の突出
４  腹側の突出
【図１】
0003131146.tif 000003
【図２】
0003131146.tif 000004
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
バイブレーションタイプのルアーにおいて、底部後方から頭部よりに入り込み、およそ魚の内蔵部に相当するする面積以上の領域を入り江状の空虚部としたルアー。
【請求項２】
側面から見た形がブーメラン型、すなわちＶ字型あるいはＵ字型あるいはくの字型に屈曲した形状で、バイブレーションタイプのルアーと同様に適度な厚みを有することを特徴とする請求項１に記載のルアー。
【請求項３】
バイブレーションタイプのルアーの頭部に、胴体に代えて、上下すなわち背中側と腹側に相当する部分に２本の突出を設けたことを特徴とする請求項１に記載のルアー。
【手続補正書】
【提出日】平成18年11月12日(2006.11.12)
【手続補正１】
【補正対象書類名】実用新案登録請求の範囲
【補正対象項目名】全文
【補正方法】変更
【補正の内容】
【実用新案登録請求の範囲】
【請求項１】
バイブレーションタイプのルアーにおいて、底部後方から頭部よりに入り込み、およそルアーを魚に見立てた場合に魚の内臓部に相当する面積以上の領域を入り江状の空虚部としたルアー。
【請求項２】
側面から見た形がブーメラン型、すなわちＶ字型あるいはＵ字型あるいはくの字型に屈曲した形状で、バイブレーションタイプのルアーと同様に適度な厚みを有することを特徴とする請求項１に記載のルアー。
【請求項３】
バイブレーションタイプのルアーの頭部に、胴体に代えて、上下すなわち背中側と腹側に相当する部分に２本の突出を設けたことを特徴とする請求項１に記載のルアー。